(57)【要約】【課題】  投影した画像上で観察者を強調する表示を行う画像表示装置を提供する。【解決手段】画像表示装置の撮像部は、画像を撮像する。撮像画像検出部は、撮像部で撮像された画像から人物の顔を検出する。特徴記憶部は、撮像画像検出部が検出した人物の顔の特徴を記憶する。画像入力部は、画像を入力する。画像再生部は、画像入力部に入力された画像を再生する。再生画像検出部は、画像再生部で再生する画像から人物の顔を順次検出する。一致検出部は、再生画像検出部が検出した人物の顔の特徴が検出対象記憶部が記憶する人物の顔の特徴と一致することを検出する。画像効果処理部は、一致検出部の検出に応じて、画像再生部が再生する画像に画像効果を施す。投影部は、画像効果処理部が画像効果を施した画像を投影する。【選択図】図１
2014131150.tif 000002
【特許請求の範囲】
【請求項１】
画像を撮像する撮像部と、
前記撮像部で撮像された画像から人物の顔を検出する撮像画像検出部と、
前記撮像画像検出部が検出した前記人物の顔の特徴を記憶する特徴記憶部と、
画像を入力する画像入力部と、
前記画像入力部から入力された画像を再生する画像再生部と、
前記画像再生部で再生する画像から人物の顔を順次検出する再生画像検出部と、
前記再生画像検出部が検出した人物の顔の特徴が前記特徴記憶部が記憶する人物の顔の特徴と一致することを検出する一致検出部と、
前記一致検出部の検出に応じて、前記画像再生部が再生する画像に画像効果を施す画像効果処理部と、
前記画像効果処理部が画像効果を施した画像を投影する投影部と
を備えることを特徴とする画像表示装置。
【請求項２】
画像を撮像する撮像ステップと、
前記撮像ステップで撮像された画像から人物の顔を検出する撮像画像検出ステップと、
前記撮像画像検出ステップで検出した前記人物の顔の特徴を記憶部に記憶する特徴記憶ステップと、
画像を入力する画像入力ステップと、
前記画像入力ステップで入力された画像を再生する画像再生ステップと、
前記画像再生ステップで再生した画像から人物の顔を順次検出する再生画像検出ステップと、
前記再生画像検出ステップで検出された人物の顔の特徴が前記特徴記憶ステップで記憶された人物の顔の特徴と一致することを検出する一致検出ステップと、
前記一致検出ステップでの検出に応じて、前記画像再生ステップで再生されたる画像に画像効果を施す画像効果処理ステップと、
前記画像効果処理ステップで画像効果を施した画像を投影する投影ステップと
を備えることを特徴とする画像表示装置における画像表示方法。
【発明の詳細な説明】
【技術分野】
【０００１】
本発明は、画像表示装置および画像表示方法に関する。
【背景技術】
【０００２】
近年、カメラやプロジェクターの小型化により、携帯型のプロジェクターや、カメラとプロジェクターとを一体に構成した携帯型のカメラ付プロジェクターが知られている（たとえば、特許文献１参照）。このようなプロジェクターを携帯することにより、たとえば運動会や旅先で画像を撮影したら、昼食や夕食のときに撮影した画像を投影し、複数の観察者で楽しむことも可能である。
【先行技術文献】
【特許文献】
【０００３】
【特許文献１】特開平５−３４４９２号公報
【発明の概要】
【発明が解決しようとする課題】
【０００４】
しかしながら、従来のプロジェクターでは、観察者が被写体となっている画像を投影しても、投影した画像上で観察者がどこにいるかを特定することが容易ではなく、その場の雰囲気の盛り上がりに欠けるという問題があった。
【０００５】
そこで、本発明が解決しようとする課題は、投影した画像上で観察者を強調する表示を行う技術を提供することにある。
【課題を解決するための手段】
【０００６】
上記の課題を解決するために、本願発明は以下の装置、方法を提供するものである。
１）画像を撮像する撮像部（５００）と、撮像部で撮像された画像から人物の顔を検出する撮像画像検出部（１０９）と、検出部が検出した人物の顔の特徴を記憶する特徴記憶部（２０５）と、画像を入力する画像入力部（２０６）と、画像入力部に入力された画像を再生する画像再生部（２０１）と、画像再生部が再生する画像から人物の顔を順次検出する再生画像検出部（１１０）と、再生画像検出部が検出した人物の顔の特徴が特徴記憶部が記憶する人物の顔の特徴と一致することを検出する一致検出部（１１０）と、一致検出部の検出に応じて、画像再生部が再生する画像に画像効果を施す画像効果処理部（２１０）と、画像効果処理部が画像効果を施した画像を投影する投影部（６００）とを備えることを特徴とする画像表示装置。
２）画像を撮像する撮像ステップと、撮像ステップで撮像された画像から人物の顔を検出する撮像画像検出ステップと、撮像画像検出ステップで検出した人物の顔の特徴を記憶部に記憶する特徴記憶ステップと、画像を入力する画像入力ステップと、画像入力ステップで入力された画像を再生する画像再生ステップと、画像再生ステップで再生した画像から人物の顔を順次検出する再生画像検出ステップと、再生画像検出ステップで検出された人物の顔の特徴が特徴記憶ステップで記憶された人物の顔の特徴と一致することを検出する一致検出ステップと、一致検出ステップでの検出に応じて、画像再生ステップで再生されたる画像に画像効果を施す画像効果処理ステップと、画像効果処理ステップで画像効果を施した画像を投影する投影ステップとを備えることを特徴とする画像表示装置における画像表示方法。
【発明の効果】
【０００７】
本発明の画像表示装置および画像表示方法によれば、投影した画像上で観察者を強調する表示を行うことができる。
【図面の簡単な説明】
【０００８】
【図１】本発明の画像表示装置の第１実施例であるカメラ一体型プロジェクターの構成を示すブロック図である。
【図２】本発明の画像表示装置の第２実施例であるカメラ一体型プロジェクターの構成を示すブロック図である。
【発明を実施するための形態】
【０００９】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。また既に説明したものと同一部分ならびに同一事項には同一符号、番号を付し、重複する説明は省略する。
本発明の一実施形態であるカメラ付プロジェクターは、記録媒体に記録された画像を再生し、投影するものである。さらに、カメラ付プロジェクターは、対象を撮影して特徴を記憶し、記憶した特徴と一致する対象画像を再生画像のなかで検出して、対象画像に画像効果を施す。そして、画像効果が行われた画像を投影する。
【００１０】
より具体的には、カメラ部で顔検出を行って対象の顔の特徴を記憶するとともに、再生画像に対して顔検出を行う。そして、検出された顔画像が記憶された対象の顔の特徴と一致すると、検出された顔画像に対して顔枠、アニメーション、アバター等の画像効果を施している。すなわち、検出された顔画像の座標、及びサイズに基づいて画像効果を施した状態で、画像を投影する。なお、画像効果は、画像データに対する演算に限らず、投影部のオートフォーカス、輝度レベルの調整等を含むものとする。
【００１１】
なお、本実施の形態に係るカメラ付プロジェクターは、画像を投影するとともに、顔画像を撮像して検出することができるものであれば、その形状、及び構成は特に限定されるものではない。また、以下の実施例では人間の顔を検出する例を説明するが、検出対象としては、人間、動物、又は物体等とすることができる。
[第１実施例]
＜構成＞
【００１２】
本実施の形態の第１実施例に係るビデオカメラ一体型プロジェクターについて、図１を用いて説明する。ビデオカメラ一体型プロジェクター１は、動画像を投影することができるとともに、動画像を撮像して記録することができる。
【００１３】
中央制御部４００はＣＰＵ（Central Processing Unit）、各種プログラムが格納されたＲＯＭ（Read Only Memory）、及びワークエリアとしてのＲＡＭ（Random Access Memory）等を含む半導体集積回路により構成されている。中央制御部４００をマイクロコンピュータで構成することができる。中央制御部４００は、再生、各種画像の投影、又は後述する画像処理や画像の投影等に関するビデオカメラ一体型プロジェクター１全体の処理を統括的に制御する。
【００１４】
図１に示すように、ビデオカメラ一体型プロジェクター１は、ズームレンズ１０１、フォーカスレンズ１０２、絞り１０３、及び撮像素子１０４で構成される撮像部１００を有する。ズームレンズ１０１は図示しないズームアクチュエータによって光軸ＬＡに沿って移動する。これにより、撮像される撮像画像の焦点距離が変化する。同様に、フォーカスレンズ１０２は、図示しないフォーカスアクチュエータによって光軸ＬＡに沿って移動する。絞り１０３は、図示しない絞りアクチュエータに駆動されて動作する。撮像素子１０４は、ＣＣＤ（Charge Coupled Device）やＣＭＯＳ（Complementary Metal Oxide Semiconductor）等で構成される。
[第１実施例における被写体の撮像]
【００１５】
ユーザーは撮像を行いたいとき、ビデオカメラ一体型プロジェクター１の操作部３０６を操作して、撮像モードとする。撮像モードにおけるビデオカメラ一体型プロジェクター１を用いた撮像は以下の手順で行われる。撮像素子１０４はズームレンズ１０１、フォーカスレンズ１０２、及び絞り１０３を通過した光を光電変換して、被写体のアナログ画像信号を生成する。
アナログ画像信号処理部１０５が、このアナログ画像信号を増幅した後、画像Ａ／Ｄ変換部１０６が、その増幅された信号をデジタル画像データに変換する。画像入力コントローラー１０７は、画像Ａ／Ｄ変換部１０６から出力されたデジタル画像データを撮像画像データとして取り込んで、バス２００を介してメインメモリ２０５に格納する。
【００１６】
デジタル信号処理部１０８は、バス２００を介して中央制御部４００からの指令に基づき、メインメモリ２０５に格納された撮像画像データを取り込み、所定の信号処理を施して輝度信号と色差信号とからなるデータを生成する。デジタル信号処理部１０８はまた、オフセット処理、ホワイトバランス調整処理、ガンマ補正処理、ＲＧＢ補完処理、ノイズ低減処理、輪郭補正処理、色調補正処理、光源種別判定処理等の各種デジタル補正を行う。
【００１７】
音声処理部２０２は、バス２００を介して中央制御部４００の指示に従い、マイク（不図示）等で取得された音声データに所定の処理を施す。例えば、音声データをデジタルデータに変換したり、雑音除去処理等をしたりする。
【００１８】
圧縮・伸長処理部２０１は、バス２００を介して中央制御部４００からの指示に従って、撮像画像データ及びデジタル音声データに所定の圧縮処理を施して圧縮データを生成する。また、圧縮・伸長処理部２０１は、中央制御部４００からの指示に従って、記録部の一例であるカード型記録媒体３０２に格納された圧縮データに所定形式の伸張処理を施して非圧縮データを生成する。所定の圧縮処理としては、静止画像に対してはＪＰＥＧ規格に準拠した圧縮方式を採用することができ、動画像に対してはＭＰＥＧ２規格やＡＶＣ／Ｈ．２６４規格に準拠した圧縮方式を採用することができる。
【００１９】
ＲＯＭ２０３はバス２００を介して中央制御部４００に接続されており、中央制御部４００が実行する制御プログラム及び制御に必要な各種データ等を格納している。フラッシュＲＯＭ２０４は、ユーザーの設定情報等、ビデオカメラ一体型プロジェクター１の動作に関する各種設定情報を格納している。
【００２０】
メディア制御部２０６は、中央制御部４００からの指示に従って、カードＩ／Ｆ３０１を介してカード型記録媒体３０２に対してデータを書き込み、カード型記録媒体３０２に記録されたデータを読み出すよう制御する。カード型記録媒体３０２はＳＤカードやコンパクトフラッシュ（登録商標）等の外部メモリであり、ビデオカメラ一体型プロジェクター１に対して脱着可能に設けられている。
【００２１】
液晶モニター３０４、スピーカー３０５、操作部３０６及び入出力端子３０７は入出力Ｉ／Ｆ３０３に接続されている。液晶モニター３０４は、例えばＶＲＡＭやメインメモリ２０５に一時記録された撮像画像データや各種メニュー画像データ等、各種画像データから生成された画像を表示する。液晶モニター３０４はまた、撮像部１００によって取得された動画像を表示する。
【００２２】
画像効果処理部２１０は、撮像部１００が取得した動画像に対して、画像効果処理を行う。すなわち、画像効果処理部２１０は、顔検出結果に基づいて、画像効果を施す。例えば、撮像した動画像に含まれる人物の顔を顔枠で囲む画像効果を施す。すなわち、動画像のフレーム画像に、検出対象である顔を囲む顔枠を付加した画像データを生成する。そして、液晶モニター３０４は、画像効果が施された動画像をスルー画像として表示する。これにより、撮像部１００が取得した動画像の各フレームに顔枠が重畳された動画像を表示することができる。
【００２３】
スピーカー３０５は、例えばメインメモリ２０５に一時記録された音声を出力する。操作部３０６は、図示しないレリーズ・スイッチや電源スイッチを含む操作キー、十字キー、ジョイスティック、又は液晶モニター３０４上に重畳されたタッチパネル等から構成されており、ユーザーのビデオカメラ一体型プロジェクター１への操作入力を受け付ける。入出力端子３０７は、図示しないテレビモニターやＰＣ（Personal  Computer）等に接続される。
【００２４】
顔検出処理部１０９は、撮像部１００が撮像した動画像に対して顔検出処理を順次行う。これにより、動画像に含まれるフレーム画像中の顔が検出される。例えば、フレーム画像から特徴を抽出して、特徴の位置や大きさに応じて顔を検出する。顔検出処理部１０９は、フレーム画像における顔座標、及び顔サイズを検出する。顔検出処理部１０９が検出した顔座標、及び顔サイズに基づいて、画像効果処理部２１０が画像効果を施す。
【００２５】
画像効果の一例としてここでは、顔検出処理部１０９が検出した顔座標の位置に顔枠の矩形を表示する。具体的には、画像効果処理部２１０が、検出した顔座標に、検出した顔サイズに応じた大きさの顔枠を重畳する画像処理を行う。そして、液晶モニター３０４が、所定の位置に顔枠が付加された画像を表示する。
【００２６】
もちろん、本実施例の画像効果は、顔枠以外の画像効果、たとえばアニメーション、アバター等の画像効果についても適用することができる。さらに、オートフォーカス、アイリス、ゲイン等の調整を適切に行うことができる。すなわち、対象とする顔の画像を適切に表示するために、撮像条件の調整を行うことができる。
[第１実施例における観察者の撮像]
【００２７】
ビデオカメラ一体型プロジェクター１はさらに、レンズ５０１、絞り５０２、及び撮像素子５０３で構成される背面撮像部５００を有する。絞り５０２は、図示しない絞りアクチュエータに駆動されて動作する。撮像素子５０３は、ＣＣＤやＣＭＯＳ等で構成される。背面撮像部５００は、後述するプロジェクターの投影とは対向する方向を撮像し、ビデオカメラ一体型プロジェクター１の周囲で、投影された画像を観察する観察者の顔を撮像することができる。
[第１実施例における観察者の顔検出]
【００２８】
ユーザーは投影を行いたいとき、ビデオカメラ一体型プロジェクター１の操作部３０６を操作して、投影モードとする。投影モードでは、カメラ一体型プロジェクター１は、以下の手順で周囲の撮像を行い、周囲の観察者の顔を検出する。
撮像素子５０３は、中央制御部４００からの指示に従って、レンズ５０１を通過した光を光電変換して、周囲の観察者のアナログ画像信号を生成する。撮影モードにおける撮像素子１０４の撮像と同様に、アナログ画像信号処理部１０５が、このアナログ画像信号を増幅した後、画像Ａ／Ｄ変換部１０６が、その増幅された信号をデジタル画像データに変換する。画像入力コントローラー１０７は、画像Ａ／Ｄ変換部１０６から出力されたデジタル画像データを撮像画像データとして取り込んで、バス２００を介してメインメモリ２０５に格納する。
【００２９】
顔検出処理部１０９は、背面撮像部５００が撮像した動画像に対して顔検出処理を行う。これにより、動画像に含まれるフレーム画像中の顔が検出される。例えば、フレーム画像から顔の特徴を抽出して、抽出した顔の特徴をメインメモリ２０５に記憶する。
撮像部５００によるビデオカメラ一体型プロジェクター１の周囲の観察者の顔の撮像は所定の間隔で行い、その都度顔検出を行って、抽出した顔の特徴をメインメモリ２０５に上書きする。周囲が暗くても顔検出を行えるよう、背面撮像部５００を赤外線領域に感度を持つ赤外線カメラとしたり、赤外線で照明を行ってもよい。また、カメラ一体型プロジェクター１の周囲の広い範囲を撮像可能なように、レンズ５０１を広角レンズとすることも好適である。
[第１実施例における投影]
【００３０】
投影モードでは、ビデオカメラ一体型プロジェクター１は、以下の手順で投影を行う。メディア制御部２０６は、中央制御部４００からの指示に従って、カードＩ／Ｆ３０１を介して、カード型記録媒体３０２に記録されたデータを読み出すよう制御する。カード型記録媒体３０２に格納された画像データは、中央制御部４００の指示に従って読み出されると、伸長処理部２０１に入力される。
【００３１】
伸長処理部２０１は、中央制御部４００からの指示に従って、記録部の一例であるカード型記録媒体３０２に所定の圧縮方式で圧縮され格納された圧縮データに所定形式の伸張処理を施して非圧縮のデジタル画像データを出力する。カード型記録媒体３０２には、撮像モードで記録された静止画像や動画像が格納されている。
【００３２】
画像入力コントローラー１０７は、伸長処理部２０１から出力されたデジタル画像データを再生画像データとして取り込んで、バス２００を介してメインメモリ２０５に格納する。
【００３３】
デジタル信号処理部１０８は、バス２００を介して中央制御部４００からの指令に基づき、メインメモリ２０５に格納された再生画像データを取り込み、所定の信号処理を施して輝度信号と色差信号とからなるデータを生成する。
【００３４】
本実施例のビデオカメラ一体型プロジェクター１はさらに、投影時顔検出処理部１１０を備えている。投影時顔検出処理部１１０は、投影時に、デジタル信号処理部１０８が信号処理した再生画像データに対して顔検出処理を順次行う。これにより、再生画像データに含まれるフレーム画像中の顔が検出される。例えば、フレーム画像から特徴を抽出して、特徴の位置や大きさに応じて顔を検出する。
【００３５】
投影時顔検出処理部１１０による顔検出処理は、少なくとも数フレームを有する。すなわち、顔検出処理は、動画像の数フレームに対応する時間を要する処理である。従って、再生画像データの再生中は、実際に投影するフレームの数フレーム前のフレームに対して顔検出を行う。
投影時顔検出処理部１１０は、検出した顔を、メインメモリ２０５に記憶された顔の特徴と比較する。一致した場合はフレーム画像における顔座標、及び顔サイズを検出する。投影時顔検出処理部１１０が検出した顔座標、及び顔サイズに基づいて、画像効果処理部２１０が画像効果を施す。
なお、本実施例では、顔検出処理部１０９と投影時顔検出処理部１１０の２つの顔検出処理部を備える構成を説明したが、背面撮像部５００の撮像画像に対する顔検出と投影する画像に対する顔検出とをひとつの顔検出処理部で行ってもよい。その場合は並列処理を行ったり、あるいは背面撮像部５００の撮像画像に対する顔検出を行っているときは投影する画像に対する顔検出を中断する等の時分割処理を行うことも好適である。
【００３６】
画像効果処理部２１０は、例えば、再生画像データに含まれる人物の顔が、メインメモリ２０５に記憶された人物の顔の特徴と一致すると、顔枠で囲む画像効果を施す。すなわち、再生画像データのフレーム画像に、検出対象である人物の顔を囲む顔枠を付加した画像データを生成する。
【００３７】
なお、撮像時は、検出されたすべての顔に対して画像効果を施すが、投影時は周囲にいる人物の顔に対してのみ画像効果を施す。従って、投影時の画像効果は、撮像時の画像効果よりもさらに顔画像を強調するような画像効果を施すことも好適である。
【００３８】
もちろん、画像効果は、顔枠の付加に限らず、アニメーションやアバターへの変換や、あらかじめ登録した名前や愛称の付加、その他画像の追加などでもよい。さらには、画像効果は、投影部１００に対する輝度等の設定調整であってもよい。
【００３９】
本実施例のビデオカメラ一体型プロジェクター１はさらに、ズームレンズ６０１、フォーカスレンズ６０２、投影素子６０３を有する投影部６００を備えている。投影部１０４は、デジタル信号処理部１０８から出力された、画像効果が施された画像データを投影する。投影素子６０３で投影された画像は、ズームレンズ６０１、フォーカスレンズ６０２を介して図示しないスクリーンに投影される。これにより、カード型記録媒体３０２から読み出した動画像の各フレームにおいて、ビデオカメラ一体型プロジェクター１の周囲にいる人物の顔の周囲に顔枠が重畳された動画像を投影することができる。
【００４０】
本実施例では背面撮像部５００が所定の間隔で顔の検出を行っているので、投影を行っている途中で新たな人物が来た場合でも、新たな人物の顔が再生画像に現れるとその人物の顔の周囲に顔枠を表示することができる。
[第２実施例]
＜構成＞
【００４１】
本実施の形態の第２実施例に係るビデオカメラ一体型プロジェクターについて、第１実施例と異なる点を図２を用いて説明する。図２に示す第２実施例のビデオカメラ一体型プロジェクター２は、第１実施例と同様、動画像を投影することができる。
【００４２】
ビデオカメラ一体型プロジェクター２は、第１実施例の撮像部１００と同様の構成であり、ズームレンズ７０１、フォーカスレンズ７０２、絞り７０３、及び撮像素子７０４で構成される撮像部７００を有する。
[第２実施例における被写体の撮像]
【００４３】
ユーザーは撮像を行いたいとき、ビデオカメラ一体型プロジェクター２の操作部３０６を操作して、撮像モードとする。ビデオカメラ一体型プロジェクター２を用いた撮像は、撮像部７００を用いて、第１実施例の撮像部１００を用いたときと同様に行われるので、説明を省略する。
[第２実施例における観察者の顔検出]
【００４４】
ユーザーは、投影に先立ってビデオカメラ一体型プロジェクター２の操作部３０６を操作して、顔登録モードとする。すると撮像部７００が撮像を開始するので、ビデオカメラ一体型プロジェクター２の周囲をパンしながら撮像し、周囲にいる人物の顔を撮像する。そして顔検出処理部１０９が顔の特徴を検出し、メインメモリ２０５に検出した顔の特徴を記憶する。メインメモリ２０５に記憶された顔の特徴は、再度顔登録モードになるまでは保持されるものとする。また顔の特徴を検出したり記憶したりした時点で、報知音やなんらかの表示で報知を行うと好適である。
[第２実施例における投影]
【００４５】
周囲の人物の顔の特徴を記憶したら、ユーザーは再びビデオカメラ一体型プロジェクター１の操作部３０６を操作し、顔登録モードを解除して投影モードとして、投影を開始する。投影モードにおけるメディア制御部２０６、中央制御部４００、カードＩ／Ｆ３０１、カード型記録媒体３０２、ＲＯＭ２０３、バス２００、フラッシュＲＯＭ２０４、伸長処理部２０１、画像入力コントローラー１０７、メインメモリ２０５、デジタル信号処理部１０８、の各部の構成および動作は第１実施例と同様であり、説明を省略する。
【００４６】
本実施例のビデオカメラ一体型プロジェクター２では、顔検出処理部１０９が、投影時に、デジタル信号処理部１０８が信号処理した再生画像データに対して顔検出処理を順次行う。これにより、再生画像データに含まれるフレーム画像中の顔が検出される。その後は第１実施例と同様、顔検出処理部１０９が、検出した顔をメインメモリ２０５に記憶された顔の特徴と比較して、一致した場合は画像効果処理部２１０が顔枠を付加するなどの画像効果を施す。
【００４７】
第２実施例のビデオカメラ一体型プロジェクター２は、撮像部を２つ設ける必要がない。また、投影のために周囲を暗くする前に人物の顔を撮像したり、広い範囲にいる人物の顔を撮像したりすることができるので、より正確に顔を検出することができる。また、撮像時の顔検出と投影時の顔検出を同時に行うことがないので、前述の並列処理や時分割処理が不要であり、ひとつの顔検出処理部で処理を行うことが容易である。
【００４８】
なお本発明を、顔検出を行う機能は持つものの、撮像した動画像を記録する機能を持たず、カード型記録媒体に記録されている動画像を再生し投影するプロジェクターに適用することが可能である。また、カード型記録媒体を備えず、ネットワークを介して送られる動画像を入力し、再生して投影するプロジェクターに本発明を適用することも可能である。このように本発明は上記実施の形態に限られたものではなく、趣旨を逸脱しない範囲で適宜変更することが可能である。
【符号の説明】
【００４９】
１、２  ビデオカメラ一体型プロジェクター
１００  撮像部
１０１  ズームレンズ
１０２  フォーカスレンズ
１０３  絞り
１０４  撮像素子
１０５  アナログ画像信号処理部
１０６  画像Ａ／Ｄ変換部
１０７  画像入力コントローラー
１０８  デジタル信号処理部
１０９  顔検出処理部
１１０  投影時顔検出処理部
２０１  圧縮／伸長処理部
２０２  音声処理部
２０３  ＲＯＭ
２０４  ＳＤＲＡＭ
２０５  メインメモリ
２０６  メディア制御部
３０１  カードＩ／Ｆ
３０２  カード型記録媒体
３０３  入出力Ｉ／Ｆ
３０４  液晶モニター
３０５  スピーカー
３０６  操作部
３０７  入出力端子
４００  中央制御部
５００  背面撮像部
５０１  レンズ
５０２  絞り
５０３  撮像素子
６００  投影部
６０１  ズームレンズ
６０２  フォーカスレンズ
６０３  投影素子
７００  撮像部
７０１  ズームレンズ
７０２  フォーカスレンズ
７０３  絞り
７０４  撮像素子
【図１】
2014131150.tif 000003
【図２】
2014131150.tif 000004